(57)【特許請求の範囲】
【請求項１】
ロック部を有するハート型のカム溝が形成されたフレームと、コネクタにセットされているカードを排出するために操作されるプッシュロッドと、このプッシュロッドを復動方向に付勢する付勢手段と、プッシュロッドに係合され、プッシュロッドの往復動作に伴ってフレームに沿って往復動する駆動部材と、この駆動部材に保持され、プッシュロッドの往復動作に伴ってカム溝内を一方向に循環する伝達ピンとを備え、カードの非挿着時は、伝達ピンを付勢手段によってカム溝のロック部に係合させることにより、プッシュロッドを押込み位置に保持し、カードの挿着時は、伝達ピンをカム溝の循環方向へ移動させることにより、プッシュロッドを押込み位置から突出位置に移動可能となし、この突出位置からプッシュロッドを押込み位置へ移動する過程で、駆動部材によってコネクタのエジェクトアームを回動することによりカードを排出するように構成してあるカード用コネクタのエジェクト機構において、
固定端及び自由端を持ち弾性を有する片持ちアームをさらに備え、
この片持ちアームの固定端に折り曲げ突片が設けられ、この固定端の折り曲げ突片は駆動部材に固定されることによって、駆動部材および片持ちアームが一体のユニットに構成され、
片持ちアームの自由端には折り曲げ突片が設けられ、この自由端の折り曲げ突片によって上記の伝達ピンが構成され、
片持ちアーム自身の弾性によって伝達ピンがカム溝の底に付勢されるようにしてあり、 上記駆動部材は伝達ピンのための案内部としての案内溝を有し、
この案内溝は、伝達ピンがカム溝から押されて片持ちアームの自由端が駆動部材側へ撓むときに、片持ちアームの自由端を案内し、
上記自由端の折り曲げ突片の延びる方向は、上記自由端が駆動部材側へ撓む方向であり、上記固定端の折り曲げ突片の延びる方向は、上記自由端が駆動部材側へ撓む方向とは直交する方向であることを特徴とするカード用コネクタのエジェクト機構。
【請求項２】
請求項１において、上記片持ちアームの自由端が駆動部材側へ撓むときの、片持ちアームの曲げの支点の位置は、上記駆動部材の案内溝の始端位置であり、
この案内溝の始端位置は、片持ちアームの固定端から所定距離離隔していることを特徴とすることを特徴とするカード用コネクタのエジェクト機構。
【請求項３】
請求項１又は２において、上記フレームはプッシュロッドの往復動方向に平行に延びる案内溝を有し、駆動部材は片持ちアームの固定端近傍の端部に上記案内溝により案内される突起を有することを特徴とするカード用コネクタのエジェクト機構。
【請求項４】
請求項３において、上記付勢手段は引っ張りコイルばねを含み、引っ張りコイルばねの一端は上記突起に引っ掛けられることを特徴とするカード用コネクタのエジェクト機構。
【請求項５】
請求項１ないし４の何れか１項において、上記片持ちアームはその固定端が駆動部材に圧入固定される金属ワイヤからなることを特徴とするカード用コネクタのエジェクト機構。
【請求項６】
ロック部を有するハート型のカム溝が形成されたフレームと、コネクタにセットされているカードを排出するために操作されるプッシュロッドと、このプッシュロッドを復動方向に付勢する付勢手段と、プッシュロッドに係合され、プッシュロッドの往復動作に伴ってフレームに沿って往復動する駆動部材と、この駆動部材に保持され、プッシュロッドの往復動作に伴ってカム溝内を一方向に循環する伝達ピンとを備え、カードの非挿着時は、伝達ピンを付勢手段によってカム溝のロック部に係合させることにより、プッシュロッドを押込み位置に保持し、カードの挿着時は、伝達ピンをカム溝の循環方向へ移動させることにより、プッシュロッドを押込み位置から突出位置に移動可能となし、この突出位置からプッシュロッドを押込み位置へ移動する過程で、駆動部材によってコネクタのエジェクトアームを回動することによりカードを排出するように構成してあるカード用コネクタのエジェクト機構において、
固定端及び自由端を持ち弾性を有する片持ちアームをさらに備え、
この片持ちアームの固定端は駆動部材に固定され、
片持ちアームの自由端には折り曲げ突片が設けられ、この折り曲げ突片によって上記の伝達ピンが構成され、
片持ちアーム自身の弾性によって伝達ピンがカム溝の底に付勢されるようにしてあり、  上記片持ちアームは駆動部材と一体に樹脂成形される合成樹脂製のアームからなることを特徴とするカード用コネクタのエジェクト機構。
【発明の詳細な説明】
【０００１】
【発明の属する技術分野】
本発明は、ＩＣカード等のカード用のコネクタに装備され、コネクタにセットされたカードを排出するためのカード用コネクタのエジェクト機構に関する。
【０００２】
【従来の技術と発明が解決しようとする課題】
この種のエジェクト機構では、ＩＣカードの挿入セット状態で操作のためのプッシュロッドを押し込むと、このプッシュロッドの操作に連動して回転するエジェクトアームの爪部がＩＣカードを手前へ押圧することにより、ＩＣカードを手指で簡単に抜き取ることができる。
しかし、ＩＣカードの挿入セット状態において、プッシュロッドが手前側へ突出しているため、突出状態にあるプッシュロッドの誤操作によって接続中のＩＣカードが意に反して排出されてしまうことがある。
【０００３】
そこで、ロック部を有するハート型のカム溝が形成されたフレームと、コネクタにセットされているカードを排出するために操作されるプッシュロッドと、このプッシュロッドを復動方向に付勢する付勢手段と、プッシュロッドに係合され、プッシュロッドの往復動作に伴ってフレームに沿って往復動する駆動部材と、この駆動部材に保持され、プッシュロッドの往復動作に伴ってカム溝内を一方向に循環する伝達ピンとを備えるカード用コネクタのエジェクト機構が提供されている（例えば、特開平１１−８６９６６号公報参照）。
【０００４】
このエジェクト機構では、カードの非挿着時は、伝達ピンを付勢手段によってカム溝のロック部に係合させることにより、プッシュロッドを押込み位置に保持し、カードの挿着時は、伝達ピンをハート型カム溝の循環方向へ移動させることにより、プッシュロッドを押込み位置から突出位置に移動可能となし、この突出位置からプッシュロッドを押込み位置へ移動する過程で、駆動部材によってエジェクトアームを回動することによりカードを排出するようにしている。
【０００５】
また、上記の伝達ピンをフレームによって揺動自在に支持しており、この揺動自在な伝達ピンを板ばねによってカム溝の底に付勢するようにしている。
しかしながら、伝達ピンとこれを付勢する板ばねを別構成するので、これらの組み立てに手間がかかると共に、動作が不安定となり易い。また、部品点数が多いので、部品コスト及び組立コストがかかり、製造コストが高くなる。また、エジェクト機構が大型になるという問題もある。
【０００６】
本発明は上記課題に鑑みてなされたものであり、安価で省スペースを図ることるでき、しかも動作の確実なカード用コネクタのエジェクト機構を提供することを目的とする。
【０００７】
【課題を解決するための手段及び発明の効果】
上記目的を達成するため、請求項１記載の発明は、ロック部を有するハート型のカム溝が形成されたフレームと、コネクタにセットされているカードを排出するために操作されるプッシュロッドと、このプッシュロッドを復動方向に付勢する付勢手段と、プッシュロッドに係合され、プッシュロッドの往復動作に伴ってフレームに沿って往復動する駆動部材と、この駆動部材に保持され、プッシュロッドの往復動作に伴ってカム溝内を一方向に循環する伝達ピンとを備え、カードの非挿着時は、伝達ピンを付勢手段によってカム溝のロック部に係合させることにより、プッシュロッドを押込み位置に保持し、カードの挿着時は、伝達ピンをカム溝の循環方向へ移動させることにより、プッシュロッドを押込み位置から突出位置に移動可能となし、この突出位置からプッシュロッドを押込み位置へ移動する過程で、駆動部材によってコネクタのエジェクトアームを回動することによりカードを排出するように構成してあるカード用コネクタのエジェクト機構において、固定端及び自由端を持ち弾性を有する片持ちアームをさらに備え、この片持ちアームの固定端に折り曲げ突片が設けられ、この固定端の折り曲げ突片は駆動部材に固定されることによって、駆動部材および片持ちアームが一体のユニットに構成され、片持ちアームの自由端には折り曲げ突片が設けられ、この自由端の折り曲げ突片によって上記の伝達ピンが構成され、片持ちアーム自身の弾性によって伝達ピンがカム溝の底に付勢されるようにしてあり、上記駆動部材は伝達ピンのための案内部としての案内溝を有し、この案内溝は、伝達ピンがカム溝から押されて片持ちアームの自由端が駆動部材側へ撓むときに、片持ちアームの自由端を案内し、上記自由端の折り曲げ突片の延びる方向は、上記自由端が駆動部材側へ撓む方向であり、上記固定端の折り曲げ突片の延びる方向は、上記自由端が駆動部材側へ撓む方向とは直交する方向であることを特徴とするものである。
【０００８】
本発明では、片持ちアームの固定端を駆動部材に圧入固定し、片持ちアーム自身の弾性によって自身の一部である伝達ピンを付勢するので、従来のように伝達ピンとこれを付勢する板ばねとを別途に設ける場合と比較して、部品点数及び組立工数を削減できる結果、製造コストを安くすることができる。また、小型化にも寄与できる。さらに、片持ちアームの固定端を駆動部材に圧入固定してあるので、伝達ピンの動作が非常に安定し、その結果、動作の確実なエジェクト機構を得ることができる。
【０００９】
請求項２記載の発明は、請求項１において、上記片持ちアームの自由端が駆動部材側へ撓むときの、片持ちアームの曲げの支点の位置は、上記駆動部材の案内溝の始端位置であり、この案内溝の始端位置は、片持ちアームの固定端から所定距離離隔していることを特徴とすることを特徴とするものである。本発明では、片持ちアームが撓まされるときに意図しない方向に撓んだりすることがなく、エジェクト動作が確実である。
請求項３記載の発明は、請求項１又は２において、上記フレームはプッシュロッドの往復動方向に平行に延びる案内溝を有し、駆動部材は片持ちアームの固定端近傍の端部に、上記案内溝により案内される突起を有することを特徴とするものである。本発明では、カム溝により案内される伝達ピンと、案内溝により案内される突起とによって、プッシュロッドの往復動に伴う駆動部材の動作を担保することができる。
【００１０】
請求項４記載の発明は、請求項３において、上記付勢手段は引っ張りコイルばねを含み、引っ張りコイルばねの一端は上記突起に引っ掛けられることを特徴とするものである。本発明では、案内溝により案内される突起とは別に、引っ張りコイルばねを係合する突起を設ける場合と比較して、構造を簡素化することができ、小型化に寄与することができる。
請求項５記載の発明は、請求項１ないし４の何れかにおいて、上記片持ちアームはその固定端が駆動部材に圧入固定される金属ワイヤからなることを特徴とするものである。本発明では、片持ちアームとして、小型でも十分な弾性と耐久性を実現することができる。
【００１１】
請求項６記載の発明は、ロック部を有するハート型のカム溝が形成されたフレームと、コネクタにセットされているカードを排出するために操作されるプッシュロッドと、このプッシュロッドを復動方向に付勢する付勢手段と、プッシュロッドに係合され、プッシュロッドの往復動作に伴ってフレームに沿って往復動する駆動部材と、この駆動部材に保持され、プッシュロッドの往復動作に伴ってカム溝内を一方向に循環する伝達ピンとを備え、カードの非挿着時は、伝達ピンを付勢手段によってカム溝のロック部に係合させることにより、プッシュロッドを押込み位置に保持し、カードの挿着時は、伝達ピンをカム溝の循環方向へ移動させることにより、プッシュロッドを押込み位置から突出位置に移動可能となし、この突出位置からプッシュロッドを押込み位置へ移動する過程で、駆動部材によってコネクタのエジェクトアームを回動することによりカードを排出するように構成してあるカード用コネクタのエジェクト機構において、固定端及び自由端を持ち弾性を有する片持ちアームをさらに備え、この片持ちアームの固定端は駆動部材に固定され、片持ちアームの自由端には折り曲げ突片が設けられ、この折り曲げ突片によって上記の伝達ピンが構成され、片持ちアーム自身の弾性によって伝達ピンがカム溝の底に付勢されるようにしてあり、上記片持ちアームは駆動部材と一体に樹脂成形される合成樹脂製のアームからなることを特徴とするものである。本発明では、片持ちアームとして別部材を用いる必要がなく、製造コストを安くすることができる。また、固定端の固定も確実となる。
【００１２】
【発明の実施の形態】
本発明の好ましい実施の形態を添付図面を参照しつつ説明する。
図１は本発明の一実施の形態のエジェクト機構が装着されたカード用コネクタ及びカードの分解斜視図である。図１を参照して、カード用コネクタ１は、ＩＣカード等のカード２を装着するためのコネクタであり、基板３上に溝形をなす板金製の枠体４を取り付けて構成されている。図示していないが、カード２の連結面としての挿入側端面２ａには、多数のソケットコンタクトが設けられ、基板３上には絶縁性の合成樹脂からなるピンハウジングが設けられ、このピンハウジングに、カード２のソケットコンタクトに接続させるための多数のピンコンタクトが圧入固定されている。
【００１３】
コネクタ１は枠体４と基板３とによって、カード２を挿入方向Ｘに沿って挿入するための挿入空間５を区画している。上記のピンハウジングは挿入空間５の後部に配置されている。同じく挿入空間５の後部には、挿入空間５に挿入セットされたカード２の挿入側端面２ａを押して、該カード２を挿入空間５から排出方向Ｙに沿って排出するためのエジェクトアーム６が配置されている。
このエジェクトアーム６は、枠体４の上板４ａに設けられる軸線７の回りに上板４ａの下面に沿って回動自在に支持されている。エジェクトアーム６の一端には、カード２の挿入側端面２ａに係合するための第１係合部６ａが設けられ、他端には、エジェクト機構８の駆動部材１１に係合するための第２係合部６ｂが設けられている。エジェクト機構８は、枠体４の側部に設けられ、挿入空間５に挿入セットされたカード２を挿入空間５から排出する働きをする。
【００１４】
図１並びにコネクタ１の平面図及び正面図を示す図２（ａ）及び（ｂ）を参照して、エジェクト機構８は、枠体４の側板４ｂに沿って取り付けられるフレーム９と、このフレーム９に往復動自在に支持されるカード排出操作用のプッシュロッド１０と、このプッシュロッド１０の往復動作に伴ってフレーム９に沿って往復動する駆動部材１１とを主要部として備えている。
図３、図４及び図５並びに図６（ａ）及び（ｂ）を参照して、エジェクト機構８について、より具体的に説明する。
【００１５】
分解斜視図である図３及び組立図である図４を参照して、フレーム９は、枠体４の側板４ｂに背中合わせに配置される合成樹脂製の第１フレーム１２と、略溝形をなす板金製の第２フレーム１３とを備える。第１及び第２フレーム１２，１３によって区画される収容孔１４〔図４及び図６（ａ）参照〕内に、プッシュロッド１０の一部、駆動部材１１及び付勢手段としての引っ張りコイルばね１５が収容される。
【００１６】
図３を参照して、第１フレーム１２に形成される上下の係合突起１６（図３では一方のみを示す）が第２フレーム１３の対応する係合孔１７に係合されることで、両フレーム１２，１３が互いに連結固定される。
第２フレーム１３は上板１８、下板１９及び側板２０を含み、上記の係合孔１７は上板１８及び下板１９に設けられている。また、上板１８及び下板１９には、各一対の切り起こし突起２１（図３では上板１８の切り起こし突起２１のみを示す）が形成されており、これらの切り起こし突起２１は、図２（ａ）に示すように、枠体４の側板４ｂの上縁及び下縁からそれぞれ外向き直角に折り曲げられた対応する折り曲げ突縁２２の係合孔２３に係合することで、ユニットをなすエジェクト機構８をコネクタ１の枠体４に取り付けている。
【００１７】
図３及び図４を参照して、プッシュロッド１０は、第２フレーム１３に沿って往復動可能な長尺のロッド２４と、ロッド２４の前端に設けられる、指で押すためのブロック状の操作部２５とを備える。ロッド２４に形成される突起２６が第２フレーム１３の案内溝２７に挿入されて案内されることで、プッシュロッド１０がスムーズに往復動できるようになっている。
図３及び図６（ｂ）を参照して、第１フレーム１２の内側面１２ａには、伝達ピン２８に係合するハート型のカム溝２９と、駆動部材１１の突起３０を案内するために挿入方向Ｘ（すなわちプッシュロッド１０の往動方向）に平行に延びる案内溝３１とが形成されている。伝達ピン２８は、駆動部材１１に保持され、プッシュロッド１０の往復動作に伴ってカム溝２９内を一方向に循環する働きをする。
【００１８】
図３、図５並びに図６（ａ）及び（ｂ）を参照して、駆動部材１１の一端１１ａには、上記の突起３０と、この突起３０と反対側に同軸上に突出する突起３２が形成されており、突起３２はプッシュロッド１０のロッド２４の長手方向の中間部に形成される連結孔３３に係合している。駆動部材１１は突起３０及び突起３２を中心として揺動自在に支持されることになる。
また、図３及び図５を参照して、駆動部材１１の他端１１ｂには、カード２をエジェクトするときに、エジェクトアーム６の第２係合部６ｂに係合してこれを押すための係合部３４が形成されている。係合部３４は第２係合部６ｂとの係合を確実にするために、例えば溝状に形成される。
【００１９】
図５及び図６（ａ）を参照して、上記の伝達ピン２８は、駆動部材１１に保持される片持ちアームとしての、弾性を有する金属製の片持ちワイヤ３５の一部を用いて形成される。具体的には、片持ちワイヤ３５は、駆動部材１１の一端１１ａの近傍に固定端３５ａを持ち、駆動部材１１の他端１１ｂの近傍に自由端３５ｂを持つ。固定端３５ａに設けられる折り曲げ突片３６が駆動部材１１の対応する圧入孔（図示せず）に圧入固定される。また、伝達ピン２８は、片持ちワイヤ３５の自由端３５ｂに形成される折り曲げ突片３７により構成される。
【００２０】
片持ちワイヤ３５自身の弾性によって、片持ちワイヤ３５の一部である伝達ピン２８がカム溝２９の底に付勢されるようになっている。付勢力を受けた伝達ピン２８の先端の作動部２８ａがカム溝２９の底に係合しこれをなぞるようにして移動する。
また、図５を参照して、上記駆動部材１１は伝達ピン２８を含む自由端３５ｂのための案内部としての案内溝３８を有する。案内溝３８は他端１１ｂ側に向かって傾斜状に深くなっている。案内溝３８は、伝達ピン２８がカム溝２９から押されて片持ちワイヤ３５の自由端が３５ｂが駆動部材１１側へ撓むときに、この自由端３５ｂを案内する。具体的には、案内溝３８の左右の内壁によって自由端３５ｂが左右方向（図５にＺ方向で示すが、伝達ピン２８と直交する方向）にぶれたりしないように規制することができるので、片持ちワイヤ３５が撓まされるときに意図しない方向に撓んだりすることがなく、エジェクト動作が確実となる。
【００２１】
図６（ａ）を参照して、付勢手段としての引っ張りコイルばね１５の一端１５ａは駆動部材１１の突起３０に係合され、図３並びに図６（ａ）及び（ｂ）を参照して、引っ張りコイルばね１５の他端１５ｂは、第１フレーム１２の内側面１２ａに形成された突起３９に係合される。このように、第１フレーム１２の案内溝３１により案内される突起３０に引っ張りコイルばね１５の一端１５ａを係合するので、引っ張りコイルばね１５に係合する突起を別途に設ける場合と比較して、構造を簡素化することができ、小型化に寄与することができる。
【００２２】
引っ張りコイルばね１５は、駆動部材１１及びプッシュロッド１０を復動方向すなわち排出方向Ｙに付勢する。
次いで、ハート型のカム溝２９について説明する。図７（ａ）及び（ｂ）に示すように、カム溝２９は、高さの異なる複数のカム面Ａ〜Ｈを有し、プッシュロッド１０の往復動作に伴って伝達ピン２８の作動部２８ａがこれらカム面Ａ〜Ｈを図７（ａ）の矢印方向（図では反時計回り）に循環する。
【００２３】
図７（ｂ）を参照して、ハート型をなすカム溝２９のＶ字形部分の底となる部分がカム溝２９のロック部になっている。このロック部であるカム面Ｅは循環方向に隣接するカム面Ｆよりは高いが、反循環方向に隣接するカム面Ｄよりも低く設定されている。
次いで、エジェクト機構８の動作について、図８（ａ）〜（ｄ）を参照して説明する。まず、カード２が挿入セットされた状態では、図８（ａ）に示すように、引っ張りコイルばね１５の働きで伝達ピン２８の作動部２８ａがカム面Ｅ〔図７（ａ）参照〕に係合しており、プッシュロッド１０は押し込み位置に安定的に保持されている。
【００２４】
挿入セットされているカード２をエジェクトする際に、プッシュロッド１０を図８（ｂ）に示す最押し込み位置まで押し込むと、伝達ピン２８の作動部２８ａは自動的に高さの低いカム面Ｆ〔図７（ａ）参照〕へ促され、ロックが外れるので、プッシュロッド１０を復動方向に伸長させることが可能となり、その結果、図８（ｃ）に示すように、引っ張りコイルばね１５の働きで作動部２８ａがカム面Ｇ及びカム面Ｈを経て、カム面Ａへ移動〔図７（ａ）参照〕し、プッシュロッド１０を最突出位置に移動させることができる。
【００２５】
ここで、最突出位置にあるプッシュロッド１０を押し込んでいくと、図８（ｄ）に示すように、伝達ピン２８の作動部２８ａが真っ直ぐに案内されてカム面Ａ、Ｂ及びＣを経てカム面Ｄ〔図７（ａ）参照〕に係合し、図示していないが、駆動部材１１の係合部３４によってエジェクトアーム６の第２係合部６ｂを押してエジェクトアーム６を回動させ、カード２をエジェクトさせることができる。
この状態でプッシュロッド１０から指を離すと、引っ張りコイルばね１５の働きで伝達ピン２８の作動部２８ａがカム面Ｅに促されて、ロックがかかり、図８（ａ）に示す状態に戻って、プッシュロッド１０は押し込み位置に維持されることになる。
【００２６】
以上説明した本実施の形態によれば、片持ちワイヤ３５の固定端３５ａを駆動部材１１に圧入固定し、片持ちワイヤ３５自身の弾性によって自身の一部である伝達ピン２８を付勢するので、従来のように伝達ピンとこれを付勢する板ばねとを別途に設ける場合と比較して、部品点数及び組立工数を削減できる結果、製造コストを安くすることができる。また、小型化にも寄与できる。
特に、片持ちワイヤ３５の固定端３５ａを駆動部材１１に圧入固定してあるので、伝達ピン２８の動作が非常に安定し、その結果、動作の確実なエジェクト機構８を得ることができる。
【００２７】
また、上記の実施の形態では、片持ちアームとして、金属製の片持ちワイヤ３５を用いたので、小型でも十分な弾性と耐久性を実現することができる。
なお、本発明は上記実施の形態に限定されるものではなく、例えば、片持ちアームとして、図９に示すように、駆動部材１１と一体の部材で樹脂成形される合成樹脂製の片持ちアーム３５Ｐを用いても良い。この場合、片持ちアームとして別部材を用いる必要がなく、製造コストを安くすることができる。また、固定端３５ａの固定も確実となる。その他、本発明の特許請求の範囲で種々の変更を施すことができる。
【図面の簡単な説明】
【図１】本発明の一実施形態のエジェクト機構が取り付けられたカード用コネクタとカードの分解斜視図である。
【図２】（ａ）及び（ｂ）はそれぞれ基板を取り除いた状態のカード用コネクタの平面図及び正面図である。
【図３】エジェクト機構の分解斜視図である。
【図４】エジェクト機構の組立斜視図である。
【図５】伝達ピンが取り付けられた駆動部材の斜視図である。
【図６】（ａ）及び（ｂ）はそれぞれエジェクト機構の一部破断平面図及び一部破断側面図である。
【図７】（ａ）はハート型のカム溝の模式図であり、（ｂ）カム溝のカム面を示す展開図である。
【図８】（ａ）〜（ｄ）はエジェクト機構の動作を順次に示す断面図である。
【図９】本発明の別の実施の形態の片持ちアームの概略図である。
【符号の説明】
１  カード用コネクタ
２  カード
３  基板
４  枠体
５  挿入空間
Ｘ  挿入方向
Ｙ  排出方向
６  エジェクトアーム
８  エジェクト機構
９  フレーム
１０  プッシュロッド
１１  駆動部材
１１ａ  一端
１１ｂ  他端
１２  第１フレーム
１３  第２フレーム
１５  引っ張りコイルばね（付勢手段）
２４  ロッド
２５  操作部
２６  突起
２７  案内溝
２８  伝達ピン
２８ａ  作動部
２９  カム溝
Ａ〜Ｈ  カム面
３０  突起
３１  案内溝
３２  突起
３３  連結孔
３４  係合部
３５  片持ちワイヤ
３５ａ  固定端
３５ｂ  自由端
３５Ｐ  片持ちアーム
３６，３７  折り曲げ突片
３８  案内溝（案内部）
【図１】
0004028231.tif 000002
【図２】
0004028231.tif 000003
【図３】
0004028231.tif 000004
【図４】
0004028231.tif 000005
【図５】
0004028231.tif 000006
【図６】
0004028231.tif 000007
【図７】
0004028231.tif 000008
【図８】
0004028231.tif 000009
【図９】
0004028231.tif 000010